【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
画像を時系列的に表示する表示部を有する表示装置と無線通信接続を確立してから当該無線通信接続が切断される時点までの間に、当該表示装置に対して前記画像を時系列的に無線送信する通信部と、
前記無線通信接続を確立した前記表示装置が有する前記表示部の設定情報に基づいて、当該表示装置に無線送信する前記画像のフォーマットを変更する画像変更部と、
前記表示装置を一意に識別する表示装置識別子と、当該表示装置が有する前記表示部の設定情報とを対応付けて記憶する記憶部と、
前記表示装置と前記無線通信接続を確立するときに前記記憶部が当該表示装置を一意に識別する前記表示装置識別子と前記設定情報とを対応付けて記憶している場合、当該表示装置に対して前記設定情報の送信要求を行わず、前記記憶部が記憶している前記設定情報に基づいて前記画像変更部に前記画像のフォーマットを変更させ、フォーマットが変更された当該画像を前記通信部に無線送信させるとともに、前記表示装置から前記設定情報を変更したことを示す変更通知情報が前記通信部に無線受信された場合、当該表示装置に対して前記設定情報の送信要求を行う制御部と、
を有することを特徴とする画像送信装置。
【請求項２】
前記変更通知情報は、前記前記表示装置から送信される接続要求メッセージに含まれることを特徴とする請求項１に記載の画像送信装置。
【請求項３】
前記制御部は、前記記憶部が当該表示装置を一意に識別する前記表示装置識別子と前記設定情報とを対応付けて記憶していない場合、当該表示装置に対して前記設定情報の送信要求を行う
ことを特徴とする請求項１または請求項２に記載の画像送信装置。
【請求項４】
前記制御部は、前記表示装置と前記無線通信接続を確立するときに前記記憶部が当該表示装置を一意に識別する前記表示装置識別子と前記設定情報とを対応付けて記憶していない場合、当該表示装置に対して前記設定情報の送信要求を行う
ことを特徴とする請求項３に記載の画像送信装置。
【請求項５】
通信部が、画像を時系列的に表示する表示部を有する表示装置と無線通信接続を確立してから当該無線通信接続が切断される時点までの間に、当該表示装置に対して前記画像を時系列的に無線送信する通信ステップと、
画像変更部が、前記無線通信接続を確立した前記表示装置が有する前記表示部の設定情報に基づいて、当該表示装置に無線送信する前記画像のフォーマットを変更する画像変更ステップと、
記憶部が、前記表示装置を一意に識別する表示装置識別子と、当該表示装置が有する前記表示部の設定情報とを対応付けて記憶する記憶ステップと、
制御部が、前記表示装置と前記無線通信接続を確立するときに前記記憶部が当該表示装置を一意に識別する前記表示装置識別子と前記設定情報とを対応付けて記憶している場合、当該表示装置に対して前記設定情報の送信要求を行わず、前記記憶部が記憶している前記設定情報に基づいて前記画像変更部に前記画像のフォーマットを変更させ、フォーマットが変更された当該画像を前記通信部に無線送信させるとともに、前記表示装置から前記設定情報を変更したことを示す変更通知情報が前記通信部に無線受信された場合、当該表示装置に対して前記設定情報の送信要求を行う制御ステップと、
を含むことを特徴とする画像送信方法。
【請求項６】
コンピュータを、
画像を時系列的に表示する表示部を有する表示装置と無線通信接続を確立してから当該無線通信接続が切断される時点までの間に、当該表示装置に対して前記画像を時系列的に無線送信する通信手段と、
前記無線通信接続を確立した前記表示装置が有する前記表示部の設定情報に基づいて、当該表示装置に無線送信する前記画像のフォーマットを変更する画像変更手段と、
前記表示装置を一意に識別する表示装置識別子と、当該表示装置が有する前記表示部の設定情報とを対応付けて記憶する記憶手段と、
前記表示装置と前記無線通信接続を確立するときに前記記憶手段が当該表示装置を一意に識別する前記表示装置識別子と前記設定情報とを対応付けて記憶している場合、当該表示装置に対して前記設定情報の送信要求を行わず、前記記憶手段が記憶している前記設定情報に基づいて前記画像変更手段に前記画像のフォーマットを変更させ、フォーマットが変更された当該画像を前記通信手段に無線送信させるとともに、前記表示装置から前記設定情報を変更したことを示す変更通知情報が前記通信手段に無線受信された場合、当該表示装置に対して前記設定情報の送信要求を行う制御手段と、
して機能させるためのプログラム。
【手続補正２】
【補正対象書類名】明細書
【補正対象項目名】００１７
【補正方法】変更
【補正の内容】
【００１７】
本発明は、画像を時系列的に表示する表示部を有する表示装置と無線通信接続を確立してから当該無線通信接続が切断される時点までの間に、当該表示装置に対して前記画像を時系列的に無線送信する通信部と、前記無線通信接続を確立した前記表示装置が有する前記表示部の設定情報に基づいて、当該表示装置に無線送信する前記画像のフォーマットを変更する画像変更部と、前記表示装置を一意に識別する表示装置識別子と、当該表示装置が有する前記表示部の設定情報とを対応付けて記憶する記憶部と、前記表示装置と前記無線通信接続を確立するときに前記記憶部が当該表示装置を一意に識別する前記表示装置識別子と前記設定情報とを対応付けて記憶している場合、当該表示装置に対して前記設定情報の送信要求を行わず、前記記憶部が記憶している前記設定情報に基づいて前記画像変更部に前記画像のフォーマットを変更させ、フォーマットが変更された当該画像を前記通信部に無線送信させるとともに、前記表示装置から前記設定情報を変更したことを示す変更通知情報が前記通信部に無線受信された場合、当該表示装置に対して前記設定情報の送信要求を行う制御部と、を有することを特徴とする画像送信装置である。
【手続補正３】
【補正対象書類名】明細書
【補正対象項目名】００１８
【補正方法】変更
【補正の内容】
【００１８】
また、本発明の画像送信装置において、前記変更通知情報は、前記前記表示装置から送信される接続要求メッセージに含まれることを特徴とする。
また、本発明の画像送信装置において、前記制御部は、前記記憶部が当該表示装置を一意に識別する前記表示装置識別子と前記設定情報とを対応付けて記憶していない場合、当該表示装置に対して前記設定情報の送信要求を行うことを特徴とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】変更
【補正の内容】
【００２２】
また、本発明は、通信部が、画像を時系列的に表示する表示部を有する表示装置と無線通信接続を確立してから当該無線通信接続が切断される時点までの間に、当該表示装置に対して前記画像を時系列的に無線送信する通信ステップと、画像変更部が、前記無線通信接続を確立した前記表示装置が有する前記表示部の設定情報に基づいて、当該表示装置に無線送信する前記画像のフォーマットを変更する画像変更ステップと、記憶部が、前記表示装置を一意に識別する表示装置識別子と、当該表示装置が有する前記表示部の設定情報とを対応付けて記憶する記憶ステップと、制御部が、前記表示装置と前記無線通信接続を確立するときに前記記憶部が当該表示装置を一意に識別する前記表示装置識別子と前記設定情報とを対応付けて記憶している場合、当該表示装置に対して前記設定情報の送信要求を行わず、前記記憶部が記憶している前記設定情報に基づいて前記画像変更部に前記画像のフォーマットを変更させ、フォーマットが変更された当該画像を前記通信部に無線送信させるとともに、前記表示装置から前記設定情報を変更したことを示す変更通知情報が前記通信部に無線受信された場合、当該表示装置に対して前記設定情報の送信要求を行う制御ステップと、を含むことを特徴とする画像送信方法である。
【手続補正７】
【補正対象書類名】明細書
【補正対象項目名】００２３
【補正方法】変更
【補正の内容】
【００２３】
また、本発明は、コンピュータを、画像を時系列的に表示する表示部を有する表示装置と無線通信接続を確立してから当該無線通信接続が切断される時点までの間に、当該表示装置に対して前記画像を時系列的に無線送信する通信手段と、前記無線通信接続を確立した前記表示装置が有する前記表示部の設定情報に基づいて、当該表示装置に無線送信する前記画像のフォーマットを変更する画像変更手段と、前記表示装置を一意に識別する表示装置識別子と、当該表示装置が有する前記表示部の設定情報とを対応付けて記憶する記憶手段と、前記表示装置と前記無線通信接続を確立するときに前記記憶手段が当該表示装置を一意に識別する前記表示装置識別子と前記設定情報とを対応付けて記憶している場合、当該表示装置に対して前記設定情報の送信要求を行わず、前記記憶手段が記憶している前記設定情報に基づいて前記画像変更手段に前記画像のフォーマットを変更させ、フォーマットが変更された当該画像を前記通信手段に無線送信させるとともに、前記表示装置から前記設定情報を変更したことを示す変更通知情報が前記通信手段に無線受信された場合、当該表示装置に対して前記設定情報の送信要求を行う制御手段と、して機能させるためのプログラムである。